(57)【要約】【課題】試験が正しく終了したのか否かを容易に把握できるようにすること。【解決手段】実施形態の照明装置は、電池と、記録制御部と、を具備している。照明装置が備える電池は、外部電源からの電力供給が遮断された場合に、照明装置が備える光源に対して電力を供給する。また、照明装置が備える記録制御部は、試験中に照明装置にイベントが発生した場合には、試験中に発生したイベントの発生時刻を記憶部に記録する。【選択図】図１
2018163865.tif 000002
【特許請求の範囲】
【請求項１】
外部電源からの電力供給が遮断された場合に光源に電力を供給する電池と；
試験中に発生したイベントの発生時刻を記録する記録制御部と；
を具備することを特徴とする照明装置。
【請求項２】
前記記録制御部は、前記イベントの発生時刻として、前記外部電源からの電力供給が遮断された時刻を記録する、
ことを特徴とする請求項１に記載の照明装置。
【請求項３】
前記記録制御部は、一定時間間隔で前記照明装置の状態を記録する、
ことを特徴とする請求項１又は２に記載の照明装置。
【請求項４】
前記記録制御部は、初期化後、最初に外部電源から電力供給が開始された後に、前記照明装置の状態及び前記イベントの発生時刻の記録を開始する、
ことを特徴とする請求項１〜３のいずれか１項に記載の照明装置。
【請求項５】
前記照明装置は、非常用或いは誘導用の照明装置である、
ことを特徴とする請求項１〜４のいずれか１項に記載の照明装置。
【請求項６】
外部電源からの電力供給が遮断された場合に光源に電力を供給する電池を備える照明装置に着脱可能なモジュールであって、
前記照明装置の試験中に発生したイベントの発生時刻を記録する記録制御部；
を具備することを特徴とするモジュール。
【発明の詳細な説明】
【技術分野】
【０００１】
本発明の実施形態は、照明装置、及びモジュールに関する。
【背景技術】
【０００２】
従来、非常時に非常用電源を用いて点灯する非常用の照明装置や避難経路等への誘導のために点灯する誘導用の照明装置が提供されている。
【先行技術文献】
【特許文献】
【０００３】
【特許文献１】特開２００４−１８５９７８号公報
【発明の概要】
【発明が解決しようとする課題】
【０００４】
非常用の照明装置や誘導用の照明装置は、停電等のイベント発生に備えるものであり、法令等で定められた試験が行われる。このような試験の結果を管理者が容易に識別できるようにするため、試験終了後、試験時のログを照明装置から取得することも考えられる。しかしながら、この場合、試験中或いは試験終了直後に何らかのイベントが発生した場合、試験が正しく終了したのか否かをログから判断するのが困難である。
【０００５】
本発明が解決しようとする課題は、試験が正しく終了したのか否かを容易に把握できるようにすることである。
【課題を解決するための手段】
【０００６】
本実施形態に係る照明装置は、外部電源からの電力供給が遮断された場合に光源に電力を供給する電池と、試験中に発生したイベントの発生時刻を記録する記録制御部と、を具備する。
【発明の効果】
【０００７】
本発明によれば、試験が正しく終了したのか否かを容易に把握できる。
【図面の簡単な説明】
【０００８】
【図１】図１は、実施形態に係る照明装置の斜視図である。
【図２】図２は、実施形態に係る照明装置の底面図である。
【図３】図３は、図２に示す照明装置から蓋を取り除いた図である。
【図４】図４は、蓋の底面図である。
【図５】図５は、図２に示すＡ−Ａ線断面図である。
【図６】図６は、接続端子にモジュールを接続した様子を示す図である。
【図７】図７は、実施形態に係る照明装置の構成例を示す図である。
【図８】図８は、制御部の機能ブロック図である。
【図９】図９は、記憶部の構成例を示す図である。
【図１０】図１０は、イベント情報記憶部に記憶されるイベント情報の一例を示す図である。
【図１１】図１１は、状態情報記憶部に記憶される状態情報の一例を示す図である。
【図１２】図１２は、実施形態に係るモジュールの構成例を示す図である。
【図１３】図１３は、履歴記録処理のフローチャートである。
【図１４】図１４は、履歴送信処理のフローチャートである。
【発明を実施するための形態】
【０００９】
以下で説明する実施形態に係る照明装置１０は、外部電源２からの電力供給が遮断された場合に光源１３に電力を供給する電池１４と、試験中に発生したイベントの発生時刻を記録する記録制御部１５２ａと、を具備する。
【００１０】
また、以下で説明する実施形態に係る記録制御部１５２ａは、イベントの発生時刻として、外部電源２からの電力供給が遮断された時刻を記録する。
【００１１】
また、以下で説明する実施形態に係る記録制御部１５２ａは、一定時間間隔で照明装置１０の状態を記録する。
【００１２】
また、以下で説明する実施形態に係る記録制御部１５２ａは、初期化後、最初に外部電源２から電力供給が開始された後に、照明装置１０の状態及びイベントの発生時刻の記録を開始する。
【００１３】
また、以下で説明する実施形態に係る照明装置１０は、非常用或いは誘導用の照明装置１０である。
【００１４】
以下で説明する実施形態に係るモジュール２０は、外部電源２からの電力供給が遮断された場合に光源１３に電力を供給する電池１４を備える照明装置１０に着脱可能である。モジュール２０は、照明装置の試験中に発生したイベントの発生時刻を記録する記録制御部１５２ａを具備する。
【００１５】
以下、図面を参照して、実施形態に係る照明装置を説明する。実施形態において同一の部位には同一の符号を付し、重複する説明は省略される。
【００１６】
［実施形態］
［照明装置の構造］
最初に照明装置１０の構造を説明する。図１は、実施形態に係る照明装置１０の斜視図である。照明装置１０は、非常用の照明装置である。非常用の照明装置（非常灯）は、外部電源からの電力供給が停止した場合に点灯する照明装置である。
【００１７】
照明装置１０は、壁或いは天井に埋め込まれる埋め込み式の照明装置である。本実施形態の照明装置１０は、天井板に開けられた穴に埋め込まれて使用される。照明装置１０は、取付けばね１７１、１７２を有しており、これらばねの押圧力により天井に固定される。なお、図示した照明装置１０はあくまで一例である。照明装置１０は必ずしも埋め込み式の照明装置でなくてもよい。例えば、照明装置１０は吊り下げ式の照明装置であってもよい。
【００１８】
図２は、照明装置１０の底面図である。なお、以下の説明には、Ｘ軸、Ｙ軸、及びＺ軸から構成される直交座標系を用いる。図中、矢印の指し示す方向がプラス方向である。本実施形態の場合、Ｘ軸、Ｙ軸は水平方向に軸方向を有しており、Ｚ軸は鉛直線の方向に軸方向を有している。Ｘ軸の軸方向は、図２に示すＡ−Ａ線と平行な方向となっている。なお、以下の説明で示されるＸ軸方向、Ｙ軸方向、及びＺ軸方向は、照明装置１０の発光方向が下方向であることを前提としたものである。照明装置１０の設置形態にあわせ、Ｘ軸方向、Ｙ軸方向、及びＺ軸方向は適宜読み替える。例えば、発光方向が水平方向なのであれば、Ｚ軸方向も水平方向である。
【００１９】
照明装置１０は、図２に示すように、接続部１１と、光源１３と、を備える。図３は、図２に示す照明装置１０から蓋１６を取り除いた図である。照明装置１０は、上記構成に加えて、筐体１２と、電池１４と、点灯ユニット１５と、を備える。照明装置１０は、モジュール２０が後付可能となっている。モジュール２０も照明装置１０の一部とみなすことが可能である。勿論、照明装置１０のモジュール２０を除いた部分を照明装置１０とみなしてもよい。
【００２０】
接続部１１は、照明装置１０を動作させる各種ケーブルを接続用の端子が配置された端子台である。接続部１１は、筐体１２からＺ軸方向と垂直な方向（本実施形態の場合、水平方向）に突出した状態となっている。
【００２１】
筐体１２は、一方の底面が開口した有底の筒状体である。図の例では、筐体１２の形状は円筒形となっているが、筐体１２の形状は円筒形に限定されない。例えば、筐体１２の形状は、角筒形であってもよいし、半球形であってもよい。筐体１２は、硬質素材で形成されている。例えば、筐体１２は、鉄、アルミ等の金属、若しくは、硬質塩化ビニル等の硬質樹脂で形成されている。筐体１２は、照明装置１０の設置時に天井に埋め込まれてユーザから見えなくなる部分である。筐体１２の開口部分の周縁にはフランジが設けられている。照明装置１０の設置時、このフランジが、天井板（天井板に開けられた穴の外周部分）に引っかかり、照明装置１０が天井裏に完全に埋没してしまうのを防止する。筐体１２は、光源１３が光を発する方向（以下、発光方向という。）に向けて開口している。本実施形態の照明装置１０は天井から下方向に向けて光を発するので、発光方向は下方向（Ｚ軸マイナス方向）である。筐体１２の開口は、蓋１６で覆われている。
【００２２】
図４は、蓋１６の底面図である。蓋１６は、板状の化粧枠である。蓋１６は、照明装置１０の設置時に天井から露出する部分である。蓋１６は、筐体１２を覆い隠すように、筐体１２の底部より一回り大きい。なお、図４の例では、蓋１６の形状は円盤形となっているが、蓋１６の形状は円盤形に限定されない。例えば、蓋１６の形状は、楕円形であってもよいし、多角形（例えば、三角形、四角形、六角形）であってもよい。蓋１６は、硬質素材で形成されている。例えば、蓋１６は、鉄、アルミ等の金属、若しくは、硬質塩化ビニル等の硬質樹脂で形成されている。
【００２３】
蓋１６には、貫通孔１６１〜１６３の３つの貫通孔が形成されている。貫通孔１６１は、光源１３用の窓である。貫通孔１６１は、蓋１６の中央に設けられている。貫通孔１６２は、モジュール２０挿入用の窓である。貫通孔１６２は、蓋１６を筐体１２に設置したときに、後述の接続端子１５６と対向する位置に設けられている。また、貫通孔１６３は、ユーザが照明装置１０の操作に使用する窓である。貫通孔１６３は、蓋１６を筐体１２に設置したときに、後述の操作部１５４及び後述の出力部１５５（ランプ１５５ａ、１５５ｂ）と対向する位置に設けられている。なお、貫通孔１６２については、後に詳述する。
【００２４】
図５は、図２のＡ−Ａ線断面図である。図５に示す照明装置１０は、モジュール２０が取り外された状態となっている。また、図５では、取付けばね１７２の図示は省略している。筐体１２の内部には、電池１４と点灯ユニット１５が格納されている。電池１４と点灯ユニット１５は、照明装置１０を構成する部品（ＡＳＳＹ）である。点灯ユニット１５の発光方向側（Ｚ軸マイナス方向側）の面には、光源１３が配置されている。図５の例では、光源１３は、筐体１２の開口の略中央に配置された反射板１３１の中央に位置している。光源１３は、例えば、ＬＥＤ（Light  Emitting  Diode）である。
【００２５】
蓋１６には、光源１３の位置に合わせて円形の貫通孔１６１が形成されている。本実施形態の場合、光源１３は、貫通孔１６１から下方向に向けて光を発する。光源１３の照射角Ｒ１は例えば６０度である。照射角Ｒ１は、ビーム角（例えば、１/２ビーム角）であってもよいし、配光角（例えば、１/２配光角）であってもよい。もちろん、光源１３の照射角Ｒ１は６０度に限定されない。光源１３の照射角Ｒ１は、例えば、１０〜１８０度の範囲の角度であってもよい。
【００２６】
電池１４は、リチウムイオン電池等の二次電池である。本実施形態の電池１４は、筐体１２の内部に着脱可能な電池モジュールである。電池１４は、図３に示すように、筐体１２の内部を発光方向と垂直な方向（本実施形態の場合、水平方向）に略２分割した一方の領域に配置されている。なお、空間を水平方向に２分割とは、空間を水平方向に２つ並んだ状態とすることをいう。ユーザは、筐体１２から点灯ユニット１５を取り外すことなく、筐体１２の開口から電池１４を抜き差しすることが可能である。
【００２７】
点灯ユニット１５は、光源１３の点灯動作及び電池１４への充放電動作を行う電源装置である。点灯ユニット１５は、外部電源及び電池１４に接続され、光源１３の点灯動作及び電池１４に対する充放電動作を行う。電池１４は、点灯ユニット１５によって充電される。点灯ユニット１５は、図３に示すように、筐体１２の内部を発光方向と垂直な方向（本実施形態の場合、水平方向）に略２分割した一方の領域（電池１４が配置された領域の他方の領域）に配置されている。点灯ユニット１５の発光方向側（本実施形態の場合、Ｚ軸マイナス方向側）の面には、図３に示すように、操作部１５４と、出力部１５５と、接続端子１５６と、が配置されている。
【００２８】
操作部１５４は、ユーザが照明装置１０を操作するためのスイッチである。操作部１５４は、ボタンスイッチであってもよいし、ロッカースイッチであってもよいし、トグルスイッチであってもよい。スイッチの種類は任意である。前述したように、蓋１６の操作部１５４に対向する位置には、貫通孔１６１が形成されている。そのため、ユーザは、照明装置１０から蓋１６を取り外すことなく、操作部１５４にアクセス可能である。
【００２９】
出力部１５５は、ユーザが照明装置１０の状態をモニタするための出力装置である。出力部１５５は、ランプ１５５ａと、ランプ１５５ｂと、を備える。ランプ１５５ａ、１５５ｂは、例えば、ＬＥＤランプである。前述したように、蓋１６のランプ１５５ａ、１５５ｂに対向する位置には、貫通孔１６３が形成されている。ユーザは貫通孔１６３を通してランプ１５５ａ、１５５ｂの発光状態を観察可能である。
【００３０】
接続端子１５６は、モジュール２０を照明装置１０に接続するための外部機器接続用のコネクタである。接続端子１５６は、点灯ユニット１５の蓋１６と対向する側（発光方向側）の面に配置されている。接続端子１５６は、例えば、ＵＳＢ（Universal  Serial  Bus）端子である。接続端子１５６の発光方向側の端面は、蓋１６の内側（Ｚ軸プラス方向側）、或いは、蓋１６の発光方向側の面の延長上に位置している。そのため、接続端子１５６は、照明装置１０をＸ軸、Ｙ軸方向（本実施形態の場合、水平方向）から見て、蓋１６から突出しておらず、照明装置１０の内部に隠れた状態となっている。
【００３１】
蓋１６の接続端子１５６に対向する位置には、図４に示すように、貫通孔１６２が形成されている。貫通孔１６２により、モジュール２０は蓋１６の外から接続端子１５６に挿入可能である。貫通孔１６２の形状は、円形、楕円形、或いは、多角形（例えば、四角形）である。勿論、貫通孔１６２の形状は、これら以外の形状であってもよい。本実施形態の場合、貫通孔１６２は四角形となっている。
【００３２】
貫通孔１６２は、照明装置１０を発光方向（Ｚ軸マイナス方向）から見たときに、接続端子１５６が収まる位置と大きさとなっている。照明装置１０を発光方向側から見たときの貫通孔１６２の図面縦方向の幅ｗ３は、接続端子１５６の縦方向の幅ｗ１より大きい。また、貫通孔１６２の図面横方向の幅ｗ４は、接続端子１５６の横方向の幅ｗ２より大きい。ユーザがモジュール２０を無理なく挿抜できるように、接続端子１５６の外縁と貫通孔１６２の縁の間には、発光方向から見て、予め設定された大きさの隙間ｍ１〜ｍ４が形成されている。隙間ｍ１、ｍ２は、接続端子１５６の図面上下に形成された隙間であり、隙間ｍ３、ｍ４は、接続端子１５６の図面左右に形成された隙間である。隙間ｍ１〜ｍ４は、それぞれ、１ｍｍ〜１０ｍｍの範囲の幅である。勿論、隙間ｍ１〜ｍ４は、この幅より大きくてもよいし、小さくてもよい。
【００３３】
モジュール２０は、無線ＬＡＮ（Local Area Network）、Ｂｌｕｅｔｏｏｔｈ（登録商標）等の無線通信規格に従って外部の装置と通信する通信モジュールである。モジュール２０は、ドングルと呼ばれる小型モジュールであってもよい。モジュール２０は、接続端子１５６に接続されて使用される。図６は、接続端子１５６にモジュール２０を接続した様子を示す図である。モジュール２０は、蓋１６の外側（発光方向側）から貫通孔１６２を通って接続端子１５６に挿入される。モジュール２０の形状は略長方形である。モジュール２０の挿入方向（Ｚ軸方向）の長さＬは、照明装置１０の製造者或いは規格等により予め定められた長さとなっている。例えば、長さＬは、１ｃｍ〜１０ｃｍである。モジュール２０は、接続端子１５６に接続されたときに、その一部が蓋１６の外側（Ｚ軸マイナス方向側）に突出した状態となる。一部が突出しているので、ユーザは、モジュール２０を接続端子１５６から抜く際に、モジュール２０を容易に掴むことができる。
【００３４】
接続端子１５６は、光源１３から離間ｄほど離間した位置に配置されている。距離ｄは、モジュール２０の長さＬが、製造者或いは規格等によって許容される最大の長さのときに、モジュール２０の突出部分が光源１３の照射角Ｒ１の外側Ｒ２に位置するよう、定められる。これにより、モジュール２０が照射角Ｒ１の範囲内に入ることがなくなるので、モジュール２０によって、光源１３の光が大きく遮られることはない。照明装置１０は、モジュール２０が装着されたとしても、照射面にモジュール２０の影が大きく生じるのを防ぐことができる。
【００３５】
［照明装置の構成］
次に、ブロック図を参照しながら照明装置１０の構成を説明する。図７は、実施形態に係る照明装置１０の構成例を示す図である。照明装置１０は、外部電源２からの電力供給を受けて動作する。外部電源２は、例えば、商用の系統電源である。外部電源２は、建物或いは敷地内に配置された発電機或いは変圧器であってもよい。上述したように、照明装置１０は、接続部１１と、光源１３と、電池１４と、点灯ユニット１５と、モジュール２０と、を備える。
【００３６】
接続部１１は、各種ケーブルを接続するための端子が配置された端子台である。接続部１１には、電源ケーブルを接続するための電源端子が配置されている。接続部１１は、照明装置１０の内部の回路と接続されている。接続部１１は、電源ケーブルを介して外部電源２から電力を受給し、照明装置１０の点灯ユニット１５に供給する。
【００３７】
光源１３は、非常用或いは誘導用の光源である。光源１３は、例えば、ＬＥＤ（Light  Emitting  Diode）である。光源１３は、発熱電球、蛍光灯、ハロゲンランプ等、ＬＥＤ以外の光源であってもよい。
【００３８】
電池１４は、鉛蓄電池、ニッケルカドミウム蓄電池、ニッケル水素電池、リチウムイオン電池等の二次電池である。外部電源２からの電力供給が停止した場合（すなわち、非常時）には、電池１４は、点灯ユニット１５に対して電力供給を行う。また、外部電源からの電力供給がある場合（すなわち、通常時）には、電池１４は、点灯ユニット１５によって充電される。
【００３９】
点灯ユニット１５は、光源１３の点灯動作及び電池１４への充放電動作を行う電源装置である。点灯ユニット１５は、電源回路１５１と、制御部１５２と、記憶部１５３と、操作部１５４と、出力部１５５と、接続端子１５６と、を備える。
【００４０】
電源回路１５１は、切替回路、ＡＣ−ＤＣコンバータ等により構成される。切替回路は、光源１３へ供給される電力の電力源を外部電源２と電池１４のいずれかに切り替える。ＡＣ−ＤＣコンバータは、外部電源２から供給される交流電力を直流電力に変換する。外部電源２が直流電源なのであれば、電源回路１５１は、ＡＣ−ＤＣコンバータの替りにＤＣ−ＤＣコンバータを有していてもよい。電源回路１５１は、制御部１５２の制御に基づき動作する。電源回路１５１は、内部にセンサ１５１ａを有している。センサ１５１ａは、電池１４の蓄電状態を検知するセンサである。或いは、センサ１５１ａは、光源１３に流れた電流量を検知するセンサである。センサ１５１ａは、電圧計であってもよいし、電流計であってもよい。センサ１５１ａは、電池１４の蓄電状態、或いは、光源１３の発光状態を検知して制御部１５２に通知する。
【００４１】
制御部１５２は、照明装置１０の各部を制御するコントローラである。制御部１５２は、ＣＰＵ（Central  Processing  Unit）、ＭＰＵ（Micro  Processing  Unit）等のプロセッサであってもよいし、ＦＰＧＡ（Field  Programmable  Gate  Array）、ＡＳＩＣ（Application  Specific  Integrated  Circuit）等の集積回路であってもよい。制御部１５２は、１つの素子で構成されていてもよいし、複数の素子で構成されていてもよい。例えば、制御部１５２は、１つのプロセッサで構成されていてもよいし、複数のプロセッサで構成されていてもよい。制御部１５２が複数の素子で構成される場合、これら複数の素子は、照明装置１０内の離れた場所に配置されていてもよい。例えば、複数の素子が別々の基板に実装されていてもよい。
【００４２】
制御部１５２は、制御部１５２内もしくは制御部１５２外のＲＯＭ（Read  Only  Memory）或いはＲＡＭ（Random  Access  Memory）に格納されているプログラムに従って動作することで、後述の「履歴記録処理」「履歴送信処理」を含む種々の動作を実現する。なお、プログラムという概念には、ＯＳ（Operating  System）やアプリケーションプログラムのみならず、マイクロプログラムも含まれる。
【００４３】
図８は、制御部１５２の機能ブロック図である。制御部１５２は、記録制御部１５２ａと、送信制御部１５２ｂと、を備える。記録制御部１５２ａと送信制御部１５２ｂは、それぞれ、制御部１５２の機能を示す機能ブロックである。これら機能ブロックはソフトウェアブロックであってもよいし、ハードウェアブロックであってもよい。例えば、上述の機能ブロックが、それぞれ、ソフトウェア（マイクロプログラムを含む。）で実現される１つのソフトウェアモジュールであってもよいし、半導体チップ（ダイ）上の１つの回路ブロックであってもよい。勿論、各機能ブロックがそれぞれ１つのプロセッサ或いは１つの集積回路であってもよい。機能ブロックの構成方法は任意である。
【００４４】
記録制御部１５２ａは、試験中に発生したイベントの発生時刻を記録する。記録制御部１５２ａの動作は、後述の「履歴記録処理」の説明の箇所で詳しく述べる。
【００４５】
送信制御部１５２ｂは、記録制御部１５２ａが記録したイベントの発生時刻をユーザ端末に送信する。送信制御部１５２ｂの動作は、後述の「履歴送信処理」の説明の箇所で詳しく述べる。
【００４６】
記憶部１５３は、ＤＲＡＭ（Dynamic  Random  Access  Memory）、ＳＲＡＭ（Static  Random  Access  Memory）、フラッシュメモリ等の記憶装置である。記憶部１５３には、制御部１５２を動作させるプログラム等が格納されている。記憶部１５３には、照明装置１０の動作の履歴（ログ）が記録されていてもよい。図９は、記憶部１５３の構成例を示す図である。記憶部１５３は、イベント情報記憶部１５３ａと、状態情報記憶部１５３ｂと、を有している。
【００４７】
イベント情報記憶部１５３ａは、照明装置１０に発生したイベントの発生時刻を記録する記録領域である。例えば、イベントの発生時刻は、外部電源２からの電力供給が遮断された時刻、或いは、照明装置１０の電源が外部電源２から電池１４に切り替わった時刻である。又は、イベントの発生時刻は、電池１４の蓄電量が一定量を下回った時刻である。イベントの発生時刻は、照明装置１０に外部電源２が投入された時刻であってもよい。
【００４８】
図１０は、イベント情報記憶部１５３ａに記憶されるイベント情報の一例を示す図である。イベント情報は、イベントの発生時刻と、その時刻に発生したイベントのイベント種別と、を関連付けた情報である。イベント情報記憶部１５３ａには、イベント情報が複数記録される。“イベントの発生時刻”は、例えば、１２時３４分５６秒といった時間情報である。イベントの発生時刻には、時、分、秒の情報のみならず、年、月、日の情報が含まれていてもよい。“イベント種別”は、照明装置１０に発生したイベントの種類を示す情報である。例えば、イベント種別の“００１”は、例えば、照明装置１０に外部電源２が投入されたことを示す。イベント種別の“００２”は、例えば、外部電源２からの電力供給が遮断されたことを示す。
【００４９】
状態情報記憶部１５３ｂは、照明装置１０の状態を記録する記録領域である。記録される状態は、例えば、電池１４の蓄電量、或いは、光源１３に流れる電流量である。図１１は、状態情報記憶部１５３ｂに記憶される状態情報の一例を示す図である。状態情報は、状態の記録時刻と、その時刻に記録した状態と、を関連付けた情報である。“記録時刻”は、２０１７年１月２日、３時５６分０７秒といった時間情報である。記録時刻には、年、月、日の情報は含まれていなくてもよい。“状態”は、電池１４の蓄電量、光源１３に流れる電流量等の照明装置１０の状態である。状態には、照明装置１０の内部温度や周辺の温度が含まれていてもよい。図面では、状態は“Ｂ００１”、“Ｂ００２”、“Ｂ００３”となっているが、これらは、蓄電量或いは電流量の値であってもよい。記録される状態は、１、２、３等のレベルで表現されたものであってもよい。
【００５０】
図７に戻り、操作部１５４は、ユーザが照明装置１０を操作するためのスイッチである。例えば、操作部１５４は、ユーザが照明装置１０を点検する際に使用する点検スイッチである。ユーザが操作部１５４を操作すると（例えば、スイッチをＯＮにすると）、制御部１５２は照明装置１０の点検動作を行う。点検動作は、照明装置１０が非常時にも正常に動作するか否かを試験する動作である。より具体的には、点検動作は、外部電源２からの電力供給が遮断された場合にも、照明装置１０が法律等で定められた規定の時間（例えば、３０分間）、既定の照度で点灯し続けることができるか否かを試験する動作である。以下の説明では、この点検動作のことを「試験」ともいう。制御部１５２は、操作部１５４が操作されると、光源１３の電源を外部電源２から電池１４に切り替えるとともに、電池１４の蓄電量或いは光源１３に供給される電流量を、内部のセンサ等を使ってモニタする。制御部１５２は、点検動作（試験）を予め設定された時間、継続する。設定された時間が経過したら、制御部１５２は、点検結果（試験結果）を、出力部１５５に出力する。
【００５１】
出力部１５５は、ＬＥＤランプ等の発光装置、或いは、スピーカー、ブザー等の音響発生装置である。出力部１５５は、ランプ１５５ａと、ランプ１５５ｂと、を備える。ランプ１５５ａは、電池１４の状態をモニタするための充電モニタ用のランプである。ランプ１５５ｂは、光源１３の状態をモニタするためのランプモニタ用のランプである。点灯ユニット１５の制御部１５２は、電池１４の充電量等に応じてランプ１５５ａを点灯、消灯、或いは点滅させる。また、制御部１５２は、光源１３の接続状態（例えば、ＬＥＤが断線等により通電できない状態なっていないか否か）に応じてランプ１５５ｂを点灯、消灯、或いは点滅させる。なお、ランプ１５５ａ、１５５ｂは、照明装置１０が点検動作中には、照明装置１０の現在の動作状態、或いは点検動作の結果等を出力するためのランプとしても機能する。
【００５２】
接続端子１５６は、外部機器接続用のコネクタである。接続端子１５６は、例えば、ＵＳＢ端子、ＩＥＥＥ（The  Institute  of  Electrical  and  Electronic  Engineers）１３９４端子、或いはＬｉｇｈｔｎｉｎｇ（登録商標）端子である。勿論、接続端子１５６は、これら以外のコネクタであってもよい。例えば、接続端子１５６は、照明装置１０の製造者が独自に定めた独自規格のコネクタであってもよいし、上記以外の規格のコネクタであってもよい。接続端子１５６は、点灯ユニット１５の制御部１５２と直接的或いは間接的に接続されている。接続端子１５６にモジュール２０が接続された場合には、接続端子１５６は、モジュール２０と制御部１５２とを通信可能な状態とする。なお、接続端子１５６は、外部電源２或いは電池１４からの電力をモジュール２０に供給できるよう構成されていてもよい。
【００５３】
モジュール２０は、外部の装置と無線通信する通信モジュールである。モジュール２０は、照明装置１０に無線通信機能を提供する。なお、モジュール２０は、赤外センサ（人感センサ）等のセンサを備えていてもよい。この場合には、モジュール２０は、センサモジュールと言い換えることができる。図１２は、実施形態に係るモジュール２０の構成例を示す図である。モジュール２０は、通信部２１と、センサ２２と、制御部２３と、記憶部２４と、接続端子２５と、を備える。
【００５４】
通信部２１は、外部の装置と無線通信する無線通信インタフェースである。通信部２１は、無線ＬＡＮ（ＩＥＥＥ８０２.１１）、Ｂｌｕｅｔｏｏｔｈ（登録商標）、ＺｉｇＢｅｅ（登録商標）等の無線通信規格に従って外部の装置と通信する。
【００５５】
センサ２２は、赤外センサ（人感センサ）、温度センサ、照度センサ（明るさセンサ）等のセンサである。センサ２２は、煙を検知する煙センサであってもよいし、ガス漏れを検知するガスセンサであってもよい。センサ２２は、照明装置１０の周囲の状態を検知し、制御部２３に通知する。
【００５６】
制御部２３は、モジュール２０の各部を制御するコントローラである。制御部２３は、ＣＰＵ、ＭＰＵ等のプロセッサであってもよいし、ＦＰＧＡ、ＡＳＩＣ等の集積回路であってもよい。制御部２３は、記憶部２４に格納されているプログラムに従って動作することで、各種処理を実現する。例えば、制御部２３は、接続端子２５及び接続端子１５６を介して照明装置１０の制御部１５２と通信する。なお、制御部２３は、照明装置１０の制御部１５２を介して、照明装置１０の各部を制御するよう構成されていてもよい。
【００５７】
記憶部２４は、ＤＲＡＭ、ＳＲＡＭ、フラッシュメモリ等の記憶装置である。記憶部２４には、制御部２３を動作させるプログラム等が格納されている。
【００５８】
接続端子２５は、照明装置１０の接続端子１５６に接続されるコネクタである。接続端子１５６がＵＳＢ端子なのであれば、接続端子２５もＵＳＢ端子である。接続端子２５が接続端子１５６に接続されることにより、照明装置１０の制御部１５２は、モジュール２０の制御部２３と通信可能となる。照明装置１０の制御部１５２は、モジュール２０を介して外部の装置と通信する。例えば、制御部１５２は、モジュール２０を介して、試験の履歴（ログ）を利用者が使用する端末装置へと送信する。
【００５９】
なお、照明装置１０の制御部１５２は、制御部２３から受け取ったセンサ２２の検知結果に基づいて、照明装置１０の各部を制御してもよい。例えば、センサ２２が人感センサであるとすれば、制御部１５２は、制御部２３から受け取った人の有無の検知結果に基づいて、光源１３の明るさを制御してもよい。制御部１５２を介して、制御部２３自身が光源１３の明るさを制御することも可能である。
【００６０】
［照明装置の動作］
次に、照明装置１０の動作を説明する。照明装置１０の動作は、履歴記録処理と、履歴送信処理とに分けられる。照明装置１０はマルチタスクＯＳを備え、これらの処理を並行して実行可能である。これらの処理は、照明装置１０の点検動作（試験）とも並行して実行可能である。
【００６１】
最初に、履歴記録処理について説明する。図１３は、履歴記録処理のフローチャートである。履歴記録処理は、試験中に発生したイベントの発生時刻を記録する処理である。操作部１５４が操作され、照明装置１０の試験が開始されると、制御部１５２は履歴記録処理を開始する。以下、図１３を参照しながら履歴記録処理を説明する。
【００６２】
制御部１５２の記録制御部１５２ａは、照明装置１０にイベントが発生しているか判別する（ステップＳ１１）。例えば、記録制御部１５２ａは、外部電源２からの電力供給が遮断されたか否かを、電源回路１５１が備えるセンサ１５１ａの検知結果等に基づき判別する。記録制御部１５２ａが判別するイベントは、“外部電源２からの電力供給の遮断”に限られず、例えば、“照明装置１０への外部電源２の投入”であってもよい。照明装置１０にイベントが発生していない場合（ステップＳ１１：Ｎｏ）、記録制御部１５２ａはステップＳ１３に処理を進める。
【００６３】
照明装置１０にイベントが発生している場合（ステップＳ１１：Ｙｅｓ）、記録制御部１５２ａは、発生したイベントのイベント情報をイベント情報記憶部１５３ａに記録する（ステップＳ１２）。例えば、記録制御部１５２ａは、イベント発生時刻（すなわち、現在の時刻）をイベント種別とともにイベント情報記憶部１５３ａに記録する。発生したイベントが“外部電源２からの電力供給の遮断”なのであれば、イベント種別は例えば“００１”である。
【００６４】
続いて、記録制御部１５２ａは、履歴記録処理が開始されてから、或いは前回の周回でステップＳ１３（或いはステップＳ１４）を実行してから一定時間経過したか判別する（ステップＳ１３）。一定時間は、任意に設定可能である。一定時間は、１０秒であってもよいし、１０分であってもよい。一定時間経過していない場合（ステップＳ１３：Ｎｏ）、記録制御部１５２ａは、ステップＳ１１に処理を戻す。
【００６５】
一定時間経過している場合（ステップＳ１３：Ｙｅｓ）、記録制御部１５２ａは、照明装置１０の現在の状態を記録する（ステップＳ１４）。例えば、記録制御部１５２ａは、電池１４の蓄電量或いは光源１３に流れた電流量を電源回路１５１が備えるセンサ１５１ａからの信号に基づいて判別する。或いは、記録制御部１５２ａは、照明装置１０の内部温度や周辺の温度をモジュール２０のセンサ２２からの信号に基づいて判別する。そして、判別した蓄電量、電流量、或いは温度を現在の時刻とともに状態情報記憶部１５３ｂに記録する。
【００６６】
状態の記録が完了したら、記録制御部１５２ａはステップＳ１１に戻り、ステップＳ１１〜ステップＳ１４の処理を繰り返す。なお、記録制御部１５２ａは、試験（点検動作）が終了したら、履歴記録処理を終了してもよい。また、記録制御部１５２ａは、試験（点検動作）が終了後、一定時間、履歴記録処理を継続してもよい。勿論、記録制御部１５２ａは、試験（点検動作）が終了後、履歴記録処理を永続してもよい。
【００６７】
次に、履歴送信処理について説明する。照明装置１０に電源が投入されると、照明装置１０の制御部１５２は履歴送信処理を開始する。図１４は、履歴送信処理のフローチャートである。履歴送信処理は、無線通信を介して、記憶部１５３に保存されている履歴（ログ）をユーザの端末に送信する処理である。本実施形態では、履歴（ログ）は、イベント情報記憶部１５３ａに保存されているイベント情報、及び、状態情報記憶部１５３ｂに保存されている状態情報である。以下、図１４を参照しながら履歴送信処理を説明する。
【００６８】
制御部２３の送信制御部１５２ｂは、予め設定された送信条件を満たしているか判別する（ステップＳ２１）。送信条件は、例えば、ユーザ端末からの予め決められた信号の受信であってもよい。信号の入力はモジュール２０を介して行われてもよい。また、送信条件は、予め決められた情報を含むビーコン信号を発する端末が、照明装置１０の無線通信可能範囲内に入ったことを照明装置１０が検知したか否かであってもよい。信号の検知はモジュール２０を介して行われてもよい。このとき、信号の検知は照明装置１０側の制御部１５２（例えば、記録制御部１５２ａ）が行ってもよいし、モジュール２０側の制御部２３が行ってもよい。
【００６９】
送信条件を満たしていない場合（ステップＳ２１：Ｎｏ）、送信制御部１５２ｂは、送信条件を満たすまでステップＳ２１を繰り返す。送信条件を満たしている場合（ステップＳ２１：Ｙｅｓ）、送信制御部１５２ｂは、無線通信を使ってユーザ端末に対して履歴を送信する（ステップＳ２２）。具体的には、送信制御部１５２ｂは、イベント情報記憶部１５３ａに保存されている複数のイベント情報、及び、状態情報記憶部１５３ｂに保存されている複数の状態情報をユーザ端末に対して送信する。送信が完了したら、送信制御部１５２ｂはステップＳ２１に戻り、ステップＳ２１〜ステップＳ２２の処理を繰り返す。
【００７０】
本実施形態によれば、照明装置１０は、試験中に発生したイベントの発生時刻を記録する記録制御部１５２ａを備えている。記録制御部１５２ａは、イベントの発生時刻として、外部電源２からの電力供給が遮断された時刻を記録するよう構成されている。ユーザは、試験終了後、記憶部１５３に記録されているイベント発生時刻の履歴を見ることによって、試験が正しく終了したのか否かを容易に把握できる。
【００７１】
また、記録制御部１５２ａは、一定時間間隔で照明装置１０の状態を記録するよう構成されている。ユーザは、試験終了後、記憶部１５３に記録されているに照明装置１０の状態の履歴を見ることによって、試験中の照明装置１０の状態を詳細に把握できる。
【００７２】
［変形例］
上述の実施形態は一例を示したものであり、種々の変更及び応用が可能である。
【００７３】
例えば、上述の実施形態では、照明装置１０は、非常用の照明装置（非常灯）であるものとしたが、照明装置１０は非常灯に限定されない。照明装置１０は、例えば、誘導用の照明装置であってもよい。誘導用の照明装置は、避難経路等への誘導のために常時点灯する照明装置である。また、照明装置１０は、非常灯及び誘導灯に限定されず、例えば、一般用途の照明装置（例えば、室内灯）であってもよい。なお、上述の実施形態では、非常灯は、外部電源２からの電力供給が停止した場合（非常時）に点灯するものとしたが、外部電源２から電力供給がなされている場合（通常時）にも点灯してもよい。
【００７４】
また、上述の実施形態では電池１４は二次電池であるものとしたが、電池１４は二次電池に限られない。電池１４はリチウム電池等の一次電池であってもよい。電池１４は、マンガン乾電池、アルカリ乾電池等の乾電池であってもよい。
【００７５】
また、上述の実施形態では、モジュール２０は、無線通信モジュール或いはセンサモジュールであるものとしたが、モジュール２０は、これらのモジュールに限られない。モジュール２０は、例えば、電池１４の蓄電量が低下した場合にも照明装置１０の動作を可能とする補助用の二次電池を備えた、充電モジュールであってもよい。また、モジュール２０は、ＵＳＢメモリ等の記憶モジュールであってもよい。
【００７６】
また、モジュール２０は、照明装置１０の記憶部１５３から履歴（例えば、イベント情報、状態情報）を取り出すためのログ取得用モジュールであってもよい。例えば、照明装置１０の接続端子１５６にモジュール２０が装着されたら、照明装置１０の制御部１５２は、モジュール２０の制御部２３を介して、記憶部１５３に記憶されている履歴を、モジュール２０の記憶部２４に保存してもよい。
【００７７】
また、無線通信機能はモジュール２０が有するものとしたが、照明装置１０が無線通信機能を有する通信部を内蔵していてもよい。例えば、通信部は、モジュール２０が備える通信部２１と同じ構成であってもよい。このとき、送信制御部１５２ｂは、照明装置１０が内蔵する通信部を介して、ユーザ端末と無線通信してもよい。
【００７８】
また、上述の実施形態では、モジュール２０は、無線通信機能（通信部２１）とセンサ機能（センサ２２）の双方を持っているものとしたが、モジュール２０は、必ずしも無線通信機能とセンサ機能の双方を持っている必要はない。モジュール２０は、無線通信機能とセンサ機能のいずれか一方のみ有していてもよい。センサ機能を有していなくても、無線通信機能を有しているのであれば、モジュール２０は、無線通信モジュールと呼ぶことができる。また、無線通信機能を有していなくても、センサ機能を有しているのであれば、モジュール２０は、センサモジュールと呼ぶことができる。
【００７９】
また、上述の実施形態では、「試験」は、照明装置１０が既定の照度で点灯し続けることができるか否かを試験する動作であるものとしたが、試験はこれに限定されない。試験は、例えば、照明装置１０が所定の温度下で一定時間点灯し続けることができるか否かの耐熱試験であってもよい。
【００８０】
また、上述の実施形態では、記録制御部１５２ａは照明装置１０の試験開始に合わせて履歴記録処理を開始するものとしたが、履歴記録処理の開始条件はこれに限定されない。記録制御部１５２ａは照明装置１０に電源が投入された場合に、履歴記録処理を開始してもよい。なお、ここでいう“電源の投入”は、照明装置１０への外部電源２の投入であってもよいし、照明装置１０への電池１４のセットであってもよい。
【００８１】
また、記録制御部１５２ａは、照明装置１０が初期化された後、最初に外部電源２から電力供給が開始された後に、履歴記録処理（照明装置１０の状態及びイベント発生時刻の記録）を開始してもよい。初期化とは、照明装置１０を初期状態に戻すことである。例えば、初期化は、照明装置１０の記憶部１５３を出荷された時の状態に戻すことである。照明装置１０を設置する前の電池１４のセットで履歴記録処理が開始されるのを防ぐことができる。
【００８２】
また、上述の実施形態（ステップＳ１１）では、記録制御部１５２ａは、イベント発生時刻を記録したが、イベント発生に関わらず試験を実施した時刻（開始と終わり）を記憶部１５３に記録してもよい。
【００８３】
また、上述の実施形態（ステップＳ１３〜ステップＳ１４）では、記録制御部１５２ａは、一定時間間隔で照明装置１０の状態を記録したが、“一定時間”は変更可能であってもよい。また、記録制御部１５２ａは照明装置１０のモード毎に“一定時間”を変更してもよい。モードとは、常時の監視状態であったり、試験や非常点灯時であるように情報を収集したい態様が異なる場合をいう。モードが異なる場合にも、照明装置１０は時間間隔を適宜変更できる。
【００８４】
また、上述の実施形態では、制御部１５２が、履歴記録処理、履歴送信処理を行ったが、これらの処理はモジュール２０の制御部２３が行ってもよい。このとき、制御部２３は、機能ブロックとして、記録制御部、送信制御部を有していてもよい。これら機能ブロックの構成は、制御部１５２の記録制御部１５２ａ、送信制御部１５２ｂと同じであってもよい。
【００８５】
また、モジュール２０の記憶部２４は、イベント情報記憶部、状態情報記憶部を有していてもよい。これらの構成は、記憶部１５３のイベント情報記憶部１５３ａ、状態情報記憶部１５３ｂと同じであってもよい。制御部１５２が履歴記録処理、履歴送信処理を実行する場合、制御部１５２は、これらの処理で使用される情報を、記憶部１５３に保存してもよいし、制御部２３を介して記憶部２４に保存してもよい。また、モジュール２０の制御部２３が履歴記録処理、履歴送信処理を実行する場合、制御部２３は、これらの処理で使用される情報を、記憶部２４に保存してもよいし、制御部１５２を介して記憶部１５３に保存してもよい。
【００８６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれる。
【符号の説明】
【００８７】
１０…照明装置
１１…接続部
１２…筐体
１３…光源
１３１…反射板
１４…電池
１５…点灯ユニット
１５１…電源回路
１５１ａ、２２…センサ
１５２、２３…制御部
１５２ａ…記録制御部
１５２ｂ…送信制御部
１５３、２４…記憶部
１５３ａ…イベント情報記憶部
１５３ｂ…状態情報記憶部
１５４…操作部
１５５…出力部
１５５ａ、１５５ｂ…ランプ
１５６、２５…接続端子
１６…蓋
１６１、１６２、１６３…貫通孔
１７１、１７２…取付けばね
２０…モジュール
２１…通信部
２…外部電源
【図１】
2018163865.tif 000003
【図２】
2018163865.tif 000004
【図３】
2018163865.tif 000005
【図４】
2018163865.tif 000006
【図５】
2018163865.tif 000007
【図６】
2018163865.tif 000008
【図７】
2018163865.tif 000009
【図８】
2018163865.tif 000010
【図９】
2018163865.tif 000011
【図１０】
2018163865.tif 000012
【図１１】
2018163865.tif 000013
【図１２】
2018163865.tif 000014
【図１３】
2018163865.tif 000015
【図１４】
2018163865.tif 000016